(57)【要約】【課題】充電装置（第１の装置）と被充電装置（第２の装置）とが電池によって動作して、充電装置から被充電装置の電池（バッテリ）を充電する場合に、充電装置の使用可能時間が短くなることを防止する。【解決手段】充電制御装置（１）は、第１の装置（２）が備えている第１の電池（２２１）の電力によって、第２の装置（３）が備えている第２の電池（３２１）を充電させる充電制御装置であって、第１の装置（２）に備えられており、第２の装置（３）から供給された第２の電池（３２１）の残量情報及び第２の装置（３）の消費電力情報に基づいて、第１の電池（２２１）から第２の装置（３）に供給する充電電気量を制御する制御部（９０）を備える。【選択図】図１
2013169062.tif 000002
【特許請求の範囲】
【請求項１】
第１の装置が備えている第１の電池の電力によって、第２の装置が備えている第２の電池を充電させる充電制御装置であって、
前記充電制御装置は、前記第１の装置に備えられており、
前記第２の装置から供給された前記第２の電池の残量情報及び前記第２の装置の消費電力情報に基づいて、前記第１の電池から前記第２の装置に供給する充電電気量を制御する制御部を備える
ことを特徴とする充電制御装置。
【請求項２】
前記制御部は、
前記第２の電池の残量情報と、前記第２の装置の消費電力情報と、前記第１の電池の残量情報と、前記第１の装置の消費電力情報とに基づいて、前記第２の装置の充電後使用可能時間と前記第１の装置の充電後使用可能時間との比率を予め定められた比率にするように、前記充電電気量を制御する
ことを特徴とする請求項１に記載の充電制御装置。
【請求項３】
前記制御部は、
前記第２の電池の残量情報及び前記第２の装置の消費電力情報に基づいて算出する前記第２の装置の使用可能時間と、前記第１の電池の残量情報及び前記第１の装置の消費電力情報に基づいて算出する前記第１の装置の使用可能時間とを前記第２の電池の充電中に繰り返し算出し、前記第２の装置の使用可能時間と前記第１の装置の使用可能時間との比率が、予め定められた比率になるまで、前記第２の電池の充電を継続させる
ことを特徴とする請求項１又は請求項２に記載の充電制御装置。
【請求項４】
前記制御部は、
前記第２の電池の充電を停止させる場合に、前記第２の装置に電力を供給する電力供給線に対して電力の供給を停止させる
ことを特徴とする請求項１から請求項３のいずれか１項に記載の充電制御装置。
【請求項５】
前記制御部は、
前記第２の電池の充電を停止させる場合に、前記第２の装置に前記第２の電池の充電を停止させる制御指令を前記第２の装置に出力する
ことを特徴とする請求項１から請求項３のいずれか１項に記載の充電制御装置。
【請求項６】
前記制御部は、
前記第２の電池の充電を停止させる場合に、前記第２の装置に電力を供給する電力供給線に供給する電力を低減する
ことを特徴とする請求項１から請求項３のいずれか１項に記載の充電制御装置。
【請求項７】
前記予め定められた比率は、１：１である
ことを特徴とする請求項２又は請求項３に記載の充電制御装置。
【請求項８】
請求項１に記載の第１の装置が、撮像装置であることを特徴とする撮像装置。
【請求項９】
第１の電池を有する第１の装置と、前記第１の電池の電力によって充電される第２の電池を有する第２の装置とを備える充電制御システムであって、
前記第２の装置は、
前記第２の電池の残量情報及び前記第２の装置の消費電力情報を前記第１の装置に供給する通信部を備え、
前記第１の装置は、
前記第２の装置から供給された前記第２の電池の残量情報及び前記第２の装置の消費電力情報に基づいて、前記第１の電池から前記第２の装置に供給する充電電気量を制御する制御部を備える
ことを特徴とする充電制御システム。
【発明の詳細な説明】
【技術分野】
【０００１】
本発明は、充電制御装置、撮像装置及び充電制御システムに関する。
【背景技術】
【０００２】
近年、ＵＳＢ（Universal Serial Bus）インターフェースなどのインターフェースを使用して、電子機器などが備えているバッテリ（二次電池）を充電するシステムが知られている（例えば、特許文献１を参照）。
【先行技術文献】
【特許文献】
【０００３】
【特許文献１】特開２００２−１０８５１４号公報
【発明の概要】
【発明が解決しようとする課題】
【０００４】
しかしながら、特許文献１に記載されているシステムでは、バッテリを満充電することを目的としている。そのため、モバイル機器などの電子機器間において充電するような場合に、以下のような問題があった。ここで、電子機器間において充電するような場合とは、例えば、ノート型パーソナルコンピュータ（以下、ノートＰＣという）から携帯電話のバッテリにＵＳＢインターフェース経由で充電するような場合である。
このような場合において、充電装置であるノートＰＣ（第１の装置）と被充電装置である携帯電話（第２の装置）との両者がバッテリで動作している場合に、ノートＰＣは、携帯電話のバッテリが満充電されるまで充電を行うため、ノートＰＣのバッテリが過剰に消費されることがある。この場合、ノートＰＣのバッテリ残量が、結果として使用可能時間が短くなることがある。
つまり、特許文献１に記載されている充電制御装置では、充電装置（第１の装置）と被充電装置（第２の装置）とが電池によって動作して、充電装置から被充電装置の電池（バッテリ）を充電する場合に、充電装置の使用可能時間が短くなるという問題がある。
【０００５】
本発明は、上記問題を解決すべくなされたもので、その目的は、充電装置と被充電装置とが電池によって動作して、充電装置から被充装置の電池（バッテリ）を充電する場合に、充電装置の使用可能時間が短くなることを防止できる充電制御装置、撮像装置及び充電制御システムを提供することにある。
【課題を解決するための手段】
【０００６】
上記問題を解決するために、本発明は、第１の装置が備えている第１の電池の電力によって、第２の装置が備えている第２の電池を充電させる充電制御装置であって、前記充電制御装置は、前記第１の装置に備えられており、前記第２の装置から供給された前記第２の電池の残量情報及び前記第２の装置の消費電力情報に基づいて、前記第１の電池から前記第２の装置に供給する充電電気量を制御する制御部を備えることを特徴とする充電制御装置である。
【０００７】
また、本発明は、上記の第１の装置が、撮像装置であることを特徴とする撮像装置である。
【０００８】
また、本発明は、第１の電池を有する第１の装置と、前記第１の電池の電力によって充電される第２の電池を有する第２の装置とを備える充電制御システムであって、前記第２の装置は、前記第２の電池の残量情報及び前記第２の装置の消費電力情報を前記第１の装置に供給する通信部を備え、前記第１の装置は、前記第２の装置から供給された前記第２の電池の残量情報及び前記第２の装置の消費電力情報に基づいて、前記第１の電池から前記第２の装置に供給する充電電気量を制御する制御部を備えることを特徴とする充電制御システムである。
【発明の効果】
【０００９】
本発明によれば、充電装置と被充電装置とが電池によって動作する場合に充電装置から被充電装置の電池（バッテリ）を充電したとしても、充電装置の使用可能時間が短くなることを防止できる充電制御装置、撮像装置及び充電制御システムを提供することにある。
【図面の簡単な説明】
【００１０】
【図１】第１の実施形態による充電制御システムを示す概略ブロック図である。
【図２】第１の実施形態における充電制御装置の充電処理を示すフローチャートである。
【図３】第２の実施形態による充電制御システムを示す概略ブロック図である。
【図４】第２の実施形態における充電制御装置の充電処理を示すフローチャートである。
【図５】第３の実施形態による充電制御システムを示す概略ブロック図である。
【図６】本実施形態による撮像装置を示す概略ブロック図である。
【発明を実施するための形態】
【００１１】
以下、本発明の一実施形態による充電制御装置及び充電制御システムについて図面を参照して説明する。
【００１２】
＜第１の実施形態＞
まず、本発明における第１の実施形態について説明する。
本実施形態において、充電装置（第１の装置）にＰＣ（パーソナルコンピュータ）を適用し、被充電装置（第２の装置）に携帯電話を適用した場合の一例を説明する。
図１は、本実施形態による充電制御装置１及び充電制御システム１００を示す概略ブロック図である。
この図において、充電制御システム１００は、ＰＣ２（第１の装置）及び携帯電話３（第２の装置）を備えている。ＰＣ２と携帯電話３とは、ＰＣ２と携帯電話３との間のデータ通信を行う通信線Ｌ１と、ＰＣ２から携帯電話３に電力の供給を行う電力供給線Ｌ２とによって接続されている。なお、本実施形態では、ＰＣ２と携帯電話３との間のインターフェースは、例えば、ＵＳＢ（Universal Serial Bus）インターフェースを用いる例を説明する。ここでは、ＰＣ２がＵＳＢインターフェースにおけるホストであり、携帯電話３がデバイスである。また、通信線Ｌ１は、ＵＳＢインターフェースにおけるＤ＋信号線及びＤ−信号線であり、電力供給線Ｌ２は、ＵＳＢインターフェースにおけるＶＢＡＴ信号線である。
【００１３】
ＰＣ２（第１の装置）は、充電制御装置１を備えている。
充電制御装置１は、ＰＣ２が備えている二次電池２２１（第１の電池）の電力によって、携帯電話３（第２の装置）が備えている二次電池３２１（第２の電池）を充電させる。充電制御装置１は、通信線Ｌ１と、電力供給線Ｌ２とを介して、携帯電話３と接続されている。
また、充電制御装置１は、Ｉ／Ｆ（インターフェース）部２０、電源切り替え部２１、電池部２２、スイッチ部２３、記憶部６０、及び制御部９０を備えている。
【００１４】
Ｉ／Ｆ部２０は、携帯電話３とのデータ通信を実行する。Ｉ／Ｆ部２０は、ＵＳＢインターフェースにおいて、通信を制御するホストとして機能する。また、Ｉ／Ｆ部２０は、電力供給線Ｌ２を介して携帯電話３に電力を供給する。また、Ｉ／Ｆ部２０は、通信線Ｌ１を介して携帯電話３との間で、データ通信を行う。
【００１５】
電池部２２は、例えば、二次電池２２１（第１の電池）と、二次電池２２１の出力電圧を検出する電圧検出部２２２とを備えている。電池部２２は、電源切り替え部２１を介して、ＰＣ２の各部に電力を供給する。また、電池部２２は、電圧検出部２２２によって検出された二次電池２２１の出力電圧を制御部９０に供給する。
【００１６】
電源切り替え部２１は、電池部２２から供給される電力と、外部電源線Ｌ３を介して供給される電力とを切り替えて、充電制御装置１及びＰＣ２の各部に電力を供給する。外部電源線Ｌ３には、外部電源（例えば、ＡＣアダプタ）が接続され、外部電源が出力する直流電圧が供給される。電源切り替え部２１は、外部電源線Ｌ３に電力が供給されているか否かを判定する。電源切り替え部２１は、外部電源線Ｌ３に電力が供給されている場合に、外部電源線Ｌ３を介して供給される電力を充電制御装置１及びＰＣ２の各部に供給する。また、電源切り替え部２１は、外部電源線Ｌ３に電力が供給されていない場合に、電池部２２から供給される電力を充電制御装置１及びＰＣ２の各部に供給する。また、電源切り替え部２１は、外部電源線Ｌ３に電力が供給されているか否かの判定結果（判定信号Ｒ）を制御部９０に出力する。
【００１７】
スイッチ部２３は、電源切り替え部２１とＩ／Ｆ部２０との間に配置される。スイッチ部２３は、制御部９０から出力される制御信号に基づいて、電源切り替え部２１から供給された電力をＩ／Ｆ部２０に供給する状態と、供給を停止した状態とを切り替える。なお、スイッチ部２３を通じてＩ／Ｆ部２０に供給される電力は、電力供給線Ｌ２を介して、携帯電話３に供給される。
【００１８】
記憶部６０は、充電制御処理に使用する各種情報、などを記憶する。記憶部６０は、例えば、二次電池２２１の残量情報、ＰＣ２の消費電力情報、携帯電話３が備えている二次電池３２１の残量情報、携帯電話３の消費電力情報などを記憶する。
【００１９】
制御部９０は、ＰＣ２から携帯電話３に電力を供給させて、携帯電話３の電池部３２の充電を制御する。具体的に、制御部９０は、Ｉ／Ｆ部２０を介して携帯電話３とのデータ通信を制御する。また、制御部９０は、電池部２２の電圧検出部２２２によって検出された電池部２２（二次電池２２１）の出力電圧に基づいて、電池部２２（二次電池２２１）の残量情報Ｑ１を算出する。制御部９０は、算出した電池部２２の残量情報Ｑ１を記憶部６０に記憶させる。
【００２０】
なお、電池部２２の残量情報Ｑ１は、電池部２２に残存する電気量を示す情報である。電池部２２の残量情報Ｑ１は、例えば、二次電池２２１の出力電圧と放電可能電気量との関係を予め測定して得られたテーブル情報を使用して算出される。
【００２１】
また、制御部９０は、ＰＣ２の消費電力情報Ａ１を算出して、算出したＰＣ２の消費電力情報Ａ１を記憶部６０に記憶させる。
なお、ＰＣ２の消費電力情報Ａ１は、ＰＣ２が消費することが予測される平均消費電力である。ＰＣ２の消費電力情報Ａ１は、例えば、電池部２２の電圧検出部２２２によって検出された電池部２２（二次電池２２１）の出力電圧の変化によって算出してもよい。また、ＰＣ２の消費電力情報Ａ１は、例えば、制御部９０によってＰＣ２における各部の動作状態の履歴を検出し、予め検出されている各部の消費電力情報に基づいて、算出されてもよい。
また、ＰＣの消費電力情報Ａ１は、一定の周期間隔において取得された消費電力に基づいて、平均消費電力として算出される。つまり、ＰＣ２の消費電力情報Ａ１は、ＰＣ２における最新の動作状態を反映した値となる。
【００２２】
また、制御部９０は、電池部２２の残量情報Ｑ１と、ＰＣ２の消費電力情報Ａ１と、電池部３２の残量情報Ｑ２と、携帯電話３の消費電力情報Ａ２と、に基づいて、ＰＣ２の充電後使用可能時間Ｔ１と携帯電話３の充電後使用可能時間Ｔ２とが等しくなるように、充電電気量ΔＱを携帯電話３に供給する。すなわち、制御部９０は、携帯電話３から供給された電池部３２の残量情報Ｑ２及び携帯電話３の消費電力情報Ａ２に基づいて、電池部２２から携帯電話３に電力供給線Ｌ２を介して供給する充電電気量を制御する。
【００２３】
なお、充電後使用可能時間とは、ＰＣ２の電池部２２から携帯電話３の電池部３２に充電電気量ΔＱを供給して充電した後に、予測される使用可能時間を示す。
ＰＣ２の充電後使用可能時間Ｔ１、携帯電話３の充電後使用可能時間Ｔ２、及び充電電気量ΔＱの算出の詳細は、後述する。
また、制御部９０は、電池部３２（二次電池３２１）に充電する電力を電力供給線Ｌ２に供給する場合、又は停止する場合に、制御信号を出力してスイッチ部２３を制御する。つまり、制御部９０は、電池部３２（二次電池３２１）の充電を停止させる場合に、スイッチ部２３によって、携帯電話３に電力を供給する電力供給線Ｌ２に対して電力の供給を停止させる。
【００２４】
一方、携帯電話３（第２の装置）は、Ｉ／Ｆ部３１、電池部３２、制御部３３及び記憶部３４を備えている。
【００２５】
Ｉ／Ｆ部３１（通信部）は、ＰＣ２とのデータ通信を実行する。Ｉ／Ｆ部３１は、ＵＳＢインターフェースにおいて、通信を制御されるデバイスとして機能する。また、Ｉ／Ｆ部３１は、電力供給線Ｌ２を介してＰＣ２から電力を供給される。
また、Ｉ／Ｆ部３１（通信部）は、例えば、電池部３２の残量情報Ｑ２及び携帯電話３の消費電力情報Ａ２をＰＣ２に通信線Ｌ１を介して供給する。
【００２６】
電池部３２は、例えば、二次電池３２１（第２の電池）と、二次電池２２１の出力電圧を検出する電圧検出部３２２とを備えている。電池部３２は、携帯電話３の各部に電力を供給する。また、電池部３２は、電圧検出部３２２によって検出された二次電池３２１の出力電圧を制御部３３に供給する。
記憶部３４は、携帯電話３の各種処理に使用する各種情報を記憶する。記憶部３４は、例えば、二次電池３２１の残量情報、携帯電話３の消費電力情報などを記憶する。
【００２７】
制御部３３は、携帯電話３の各種処理を制御する。具体的に、制御部３３は、Ｉ／Ｆ部２０を介して携帯電話３とのデータ通信を制御する。また、制御部３３は、電池部３２の電圧検出部３２２によって検出された電池部３２（二次電池３２１）の出力電圧に基づいて、電池部３２（二次電池３２１）の残量情報Ｑ２を算出する。制御部３３は、算出した電池部３２の残量情報Ｑ２を記憶部３４に記憶させる。
【００２８】
なお、電池部３２の残量情報Ｑ２は、電池部３２に残存する電気量を示す情報である。電池部３２の残量情報Ｑ２は、例えば、二次電池３２１の出力電圧と放電可能電気量との関係を予め測定して得られたテーブル情報を使用して算出される。
【００２９】
また、制御部３３は、携帯電話３の消費電力情報Ａ２を算出して、算出した携帯電話３の消費電力情報Ａ２を記憶部３４に記憶させる。
なお、携帯電話３の消費電力情報Ａ２は、携帯電話３が消費することが予測される平均消費電力である。携帯電話３の消費電力情報Ａ２は、例えば、電池部３２の電圧検出部３２２によって検出された電池部３２（二次電池３２１）の出力電圧の変化によって算出してもよい。また、携帯電話３の消費電力情報Ａ２は、例えば、制御部３３によって携帯電話３における各部の動作状態の履歴を検出し、予め検出されている各部の消費電力情報に基づいて、算出されてもよい。
また、携帯電話３の消費電力情報Ａ２は、一定の周期間隔において取得された消費電力に基づいて、平均消費電力として算出される。つまり、携帯電話３の消費電力情報Ａ２は、携帯電話３における最新の動作状態を反映した値となる。
【００３０】
また、制御部３３は、Ｉ／Ｆ部３１を介してＰＣ２とのデータ通信を制御し、電池部３２（二次電池３２１）の残量情報及び携帯電話３の消費電力情報をＰＣ２に供給する。すなわち、携帯電話３は、通信線Ｌ１を介して、電池部３２（二次電池３２１）の残量情報及び携帯電話３の消費電力情報をＰＣ２に供給する。
【００３１】
次に、本実施形態における充電制御装置１及び充電制御システム１００の動作について説明する。
図２は、本実施形態における充電制御装置１の充電処理を示すフローチャートである。
ＰＣ２（第１の装置）に携帯電話３（第２の装置）が接続され、ＵＳＢインターフェースの通信が確立された後、充電制御装置１は、携帯電話３の電池部３２（二次電池３２１）の充電を開始する。
【００３２】
図２において、まず、充電制御装置１は、外部電源が接続されているか否かを判定する（ステップＳ１０１）。つまり、充電制御装置１の制御部９０は、電源切り替え部２１から出力される外部電源線Ｌ３に電力が供給されているか否かの判定結果（判定信号Ｒ）に基づいて、外部電源が接続されているか否かを判定する。そして、制御部９０は、外部電源が接続されていると判定した場合に、処理をステップＳ１０２に進める。
また、制御部９０は、外部電源が接続されていないと判定した場合に、処理をステップＳ１０３に進める。
【００３３】
ステップＳ１０２において、充電制御装置１は、携帯電話３の電池をフル充電（満充電）する。つまり、まず、電源切り替え部２１が、外部電源線Ｌ３を介して供給される電力を充電制御装置１及びＰＣ２の各部に供給する。また、制御部９０が、電源切り替え部２１から供給された電力をＩ／Ｆ部２０に供給する制御信号を、スイッチ部２３に出力する。これにより、スイッチ部２３は、電源切り替え部２１から供給された電力をＩ／Ｆ部２０に供給する状態にする。Ｉ／Ｆ部２０に供給された電力は、電力供給線Ｌ２を介して、携帯電話３に供給され、さらに、携帯電話３のＩ／Ｆ部３１を介して、電池部３２に供給される。これにより、電池部３２は、二次電池３２１の充電を行う。なお、制御部９０は、外部電源線Ｌ３を介して供給される電力によって、電池部３２の二次電池３２１を満充電する。なお、制御部９０は、電池部３２（二次電池３２１）の満充電が完了した場合に、処理を終了させる。
【００３４】
また、ステップＳ１０３において、充電制御装置１は、携帯電話３の電池残量情報（電池部３２の残量情報Ｑ２）と携帯電話３の消費電力情報Ａ２とを取得する。つまり、制御部９０は、Ｉ／Ｆ部２０を通じて、携帯電話３に電池部３２の残量情報Ｑ２と携帯電話３の消費電力情報Ａ２とを要求する。携帯電話３の制御部３３は、充電制御装置１からの要求に応じて、電池部３２の残量情報Ｑ２と携帯電話３の消費電力情報Ａ２とを、Ｉ／Ｆ部３１を通して通信線Ｌ１に供給する。制御部９０は、通信線Ｌ１を介して供給された電池部３２の残量情報Ｑ２と携帯電話３の消費電力情報Ａ２を記憶部６０に記憶させる。
【００３５】
次に、充電制御装置１は、携帯電話３に供給する充電電気量ΔＱを算出する（ステップＳ１０４）。つまり、制御部９０は、携帯電話３から供給された電池部３２の残量情報Ｑ２と携帯電話３の消費電力情報Ａ２とに基づいて、電池部２２（二次電池２２１）から携帯電話３に供給する充電電気量ΔＱを算出する。具体的には、ＰＣ２の充電後使用可能時間Ｔ１は、式（１）のように表される。ここで、ＰＣ２の充電後使用可能時間Ｔ１は、携帯電話３の電池部３２に充電を行った後にＰＣ２を使用できる時間を示す。
【００３６】
Ｔ１＝（Ｑ１−ΔＱ）／Ａ１  ・・・  （１）
【００３７】
また、携帯電話３の充電後使用可能時間Ｔ２は、式（２）のように表される。ここで、携帯電話３の充電後使用可能時間Ｔ２は、携帯電話３の電池部３２に充電を行った後に携帯電話３を使用できる時間を示す。
【００３８】
Ｔ２＝（Ｑ２＋ΔＱ）／Ａ２  ・・・  （２）
【００３９】
制御部９０は、ＰＣ２の充電後使用可能時間Ｔ１と携帯電話３の充電後使用可能時間Ｔ２とが、予め定められた割合（比率）になるように、充電電気量ΔＱを算出する。例えば、ＰＣ２の充電後使用可能時間Ｔ１と携帯電話３の充電後使用可能時間Ｔ２とが等しくする場合（比率が１：１の場合）には、制御部９０は、関係式（３）から導きだされた式（４）にしたがって、充電電気量ΔＱを算出する。
【００４０】
Ｔ１（＝（Ｑ１−ΔＱ）／Ａ１）  ＝  Ｔ２（＝（Ｑ２＋ΔＱ）／Ａ２）  ・・・  （３）
ΔＱ＝（Ａ１・Ｑ１−Ａ２・Ｑ２）／（Ａ１―Ａ２）  ・・・  （４）
【００４１】
つまり、制御部９０は、記憶部６０に記憶されている電池部２２（二次電池２２１）の残量情報Ｑ１及びＰＣ２の消費電力情報Ａ１と、携帯電話３から供給された電池部３２（二次電池３２１）の残量情報Ｑ２及び携帯電話３の消費電力情報Ａ２とに基づいて、充電電気量ΔＱを算出する。
【００４２】
次に、充電制御装置１は、充電電気量ΔＱ分の電気量を電力供給線Ｌ２に供給する（ステップＳ１０５）。つまり、制御部９０は、まず、電池部２２から電源切り替え部２１を介して供給される電力をＩ／Ｆ部２０に供給する制御信号を、スイッチ部２３に出力する。これにより、スイッチ部２３は、電池部２２から供給された電力をＩ／Ｆ部２０に供給する状態にする。Ｉ／Ｆ部２０に供給された電力は、電力供給線Ｌ２を介して、携帯電話３に供給され、さらに、携帯電話３のＩ／Ｆ部３１を介して、電池部３２に供給される。これにより、電池部３２（二次電池３２１）は、充電される。制御部９０は、充電電気量ΔＱ分の電気量を電力供給線Ｌ２に供給する間、この充電を行う状態を維持する。
【００４３】
次に、充電制御装置１は、携帯電話３の電池部３２の充電を停止させる（ステップＳ１０６）。つまり、制御部９０は、充電電気量ΔＱ分の電気量を供給した場合に、電池部２２の電力をＩ／Ｆ部２０に供給することを停止する制御信号を、スイッチ部２３に出力する。これにより、スイッチ部２３は、電池部２２から供給された電力をＩ／Ｆ部２０に供給しない状態にする。以上により、制御部９０は、携帯電話３の電池部３２（二次電池３２１）の充電を停止させる。
なお、制御部９０は、充電電気量ΔＱ分の電気量を供給したか否かの判定を、例えば、電池部２２の残量情報Ｑ１の変化に基づいて判定する。つまり、制御部９０は、電池部２２の電圧検出部２２２によって検出された二次電池２２１の出力電圧に基づいて判定する。
ステップＳ１０６の処理が完了した後、制御部９０は、処理を終了させる。
【００４４】
以上のように、本実施形態における充電制御装置１及び充電制御システム１００は、制御部９０が、携帯電話３（第２の装置）から供給された電池部３２（第２の電池）の残量情報及び携帯電話３の消費電力情報を取得する。そして、制御部９０は、電池部３２（第２の電池）の残量情報及び携帯電話３の消費電力情報に基づいて、電池部２２（第１の電池）から携帯電話３に供給する充電電気量ΔＱを算出する。制御部９０は、充電電気量ΔＱ分の電気量を、電力供給線Ｌ２を介して、携帯電話３の電池部３２（二次電池３２１）に供給させて、電池部３２を充電させる。
【００４５】
これにより、携帯電話３の電池部３２（二次電池３２１）は、フル充電されるではなく、制御部９０の制御のもとで、充電電気量ΔＱだけ充電される。つまり、制御部９０は、ＰＣ２の充電後使用可能時間Ｔ１と携帯電話３の充電後使用可能時間Ｔ２とが最適な状態になるように、電池部２２（第１の電池）の残量を電池部３２（第２の電池）に分配する。よって、ＰＣ２（充電装置）と携帯電話３（被充電装置）とが電池（電池部２２及び３２）によって動作する場合に、ＰＣ２の使用可能時間を長くすることができる。例えば、ＰＣ２と携帯電話３とを接続して使用する用途において使用可能時間を長くすることができる。
つまり、本実施形態における充電制御装置１及び充電制御システム１００では、充電装置と被充電装置とが電池によって動作する場合に充電装置から被充電装置の電池を充電したとしても、充電装置の使用可能時間が短くなることを防止できる。
【００４６】
また、制御部９０は、電池部３２（第２の電池）の残量情報Ｑ２と、携帯電話３（第２の装置）の消費電力情報Ａ２と、電池部２２（第１の電池）の残量情報Ｑ１と、ＰＣ２（第１の装置）の消費電力情報Ａ１とに基づいて、携帯電話３の充電後使用可能時間Ｔ２とＰＣ２の充電後使用可能時間Ｔ１との比率を予め定められた比率（例えば、１：１）にするように、充電電気量ΔＱを携帯電話３に供給する。すなわち、制御部９０は、携帯電話３の充電後使用可能時間Ｔ２とＰＣ２の充電後使用可能時間Ｔ１との比率を予め定められた比率にするように、充電電気量ΔＱを制御する。
【００４７】
これにより、携帯電話３の電池部３２（二次電池３２１）は、フル充電されるではなく、ＰＣ２の充電後使用可能時間Ｔ１と携帯電話３の充電後使用可能時間Ｔ２とが最適な割合に（例えば、等しく）なるように充電される。よって、ＰＣ２（充電装置）と携帯電話３（被充電装置）とが電池（電池部２２及び３２）によって動作する場合に、ＰＣ２の使用可能時間を長くすることができる。なお、上述の予め定められた比率が１：１の場合には、電池部２２の残量が、ＰＣ２と携帯電話３との使用可能時間が等しくなるように分配される。そのため、例えば、ＰＣ２と携帯電話３とを接続して使用する用途において、使用可能時間を最長にすることができる。
【００４８】
また、制御部９０は、電池部３２（第２の電池）の充電を停止させる場合に、スイッチ部２３に対して、携帯電話３（第２の装置）に電力を供給する電力供給線Ｌ２に対して電力の供給を停止させる。これにより、制御部９０は、簡易な手段によって、充電電気量ΔＱを制御することができる。
【００４９】
また、ＰＣ２及び携帯電話３は、消費電力情報（Ａ１及びＡ２）を、一定の周期間隔において取得された消費電力に基づいて、平均消費電力として算出する。つまり、消費電力情報（Ａ１及びＡ２）は、最新の動作状態を反映した値となる。これにより、制御部９０は、より正確に充電電気量ΔＱを算出することができる。
【００５０】
＜第２の実施形態＞
次に、本発明における第２の実施形態について説明する。
本実施形態において、第１の実施形態と同様に、充電装置の装置（第１の装置）にＰＣを適用し、被充電装置の装置（第２の装置）に携帯電話を適用した場合の一例を説明する。
【００５１】
図３は、本実施形態による充電制御装置１ａ及び充電制御システム１００を示す概略ブロック図である。この図において、図１と同じ構成には同一の符号を付す。
この図において、ＰＣ２（第１の装置）は、充電制御装置１ａを備えている。
【００５２】
充電制御装置１ａは、ＰＣ２が備えている二次電池２２１（第１の電池）の電力によって、携帯電話３（第２の装置）が備えている二次電池３２１（第２の電池）を充電させる。充電制御装置１ａは、携帯電話３とのデータ通信を行う通信線Ｌ１と、携帯電話３に電力の供給を行う電力供給線Ｌ２とを介して、携帯電話３と接続されている。
また、充電制御装置１ａは、Ｉ／Ｆ部２０、電源切り替え部２１、電池部２２、スイッチ部２３ａ、記憶部６０、及び制御部９０を備えている。
なお、本実施形態では、制御部９０による充電電気量の制御の方法と、電池部３２（第２の電池）の充電を停止させる場合の方法とが、第１の実施形態と異なる。
【００５３】
スイッチ部２３ａは、電源切り替え部２１とＩ／Ｆ部２０との間に配置される。スイッチ部２３ａは、制御部９０から出力される制御信号に基づいて、電源切り替え部２１から供給された電力をＩ／Ｆ部２０に供給する状態と、携帯電話３に電力を供給する電力を低減した状態とを切り替える。ここで、携帯電話３に電力を供給する電力を低減した状態とは、例えば、抵抗を介して電源切り替え部２１から供給された電力をＩ／Ｆ部２０に供給する状態である。
なお、スイッチ部２３ａを通じてＩ／Ｆ部２０に供給される電力は、電力供給線Ｌ２を介して、携帯電話３に供給される。これにより、電池部３２（二次電池３２１）の充電を停止させる場合に、スイッチ部２３ａは、携帯電話３に電力を供給する電力供給線Ｌ２に供給する電力を低減して、電池部３２（二次電池３２１）の充電を抑制する。
【００５４】
また、本実施形態では、制御部９０は、電池部２２の残量情報Ｑ１及びＰＣ２の消費電力情報Ａ１に基づいて、ＰＣ２の使用可能時間Ｔ３を算出する。また、制御部９０は、電池部３２の残量情報Ｑ２及び携帯電話３の消費電力情報Ａ２に基づいて、使用可能時間Ｔ４を算出する。なお、制御部９０は、ＰＣ２の使用可能時間Ｔ３及び使用可能時間Ｔ４の算出を電池部３２の充電中に繰り返し行う。そして、制御部９０は、算出したＰＣ２の使用可能時間Ｔ３と、算出した携帯電話３の使用可能時間Ｔ４との比率（割合）が、予め定められた比率（割合）になるまで、電池部３２の充電を継続させる。制御部９０は、例えば、ＰＣ２の使用可能時間Ｔ３と、算出した携帯電話３の使用可能時間Ｔ４とが等しくなるまで（比率が１：１になるまで）、電池部３２の充電を継続させる。
【００５５】
また、制御部９０は、電池部３２（二次電池３２１）の充電を停止させる場合に、スイッチ部２３ａに制御信号を出力して、携帯電話３に電力を供給する電力供給線Ｌ２に供給する電力を低減して、電池部３２（二次電池３２１）の充電を抑制させる。
【００５６】
次に、本実施形態における充電制御装置１ａ及び充電制御システム１００の動作について説明する。
図４は、本実施形態における充電制御装置１ａの充電処理を示すフローチャートである。
ＰＣ２（第１の装置）に携帯電話３（第２の装置）が接続され、ＵＳＢインターフェースの通信が確立された後、充電制御装置１ａは、携帯電話３の電池部３２（二次電池３２１）の充電を開始する。
【００５７】
図４において、まず、充電制御装置１ａは、外部電源が接続されているか否かを判定する（ステップＳ２０１）。つまり、充電制御装置１ａの制御部９０は、電源切り替え部２１から出力される外部電源線Ｌ３に電力が供給されているか否かの判定結果（判定信号Ｒ）に基づいて、外部電源が接続されているか否かを判定する。そして、制御部９０は、外部電源が接続されていると判定した場合に、処理をステップＳ２０２に進める。
また、制御部９０は、外部電源が接続されていないと判定した場合に、処理をステップＳ２０３に進める。
【００５８】
ステップＳ２０２において、充電制御装置１ａは、携帯電話３の電池をフル充電（満充電）する。つまり、まず、電源切り替え部２１が、外部電源線Ｌ３を介して供給される電力を充電制御装置１及びＰＣ２の各部に供給する。また、制御部９０が、電源切り替え部２１から供給された電力をＩ／Ｆ部２０に供給する制御信号を、スイッチ部２３ａに出力する。これにより、スイッチ部２３ａは、電源切り替え部２１から供給された電力をＩ／Ｆ部２０に供給する状態にする。Ｉ／Ｆ部２０に供給された電力は、電力供給線Ｌ２を介して、携帯電話３に供給され、さらに、携帯電話３のＩ／Ｆ部３１を介して、電池部３２に供給される。これにより、電池部３２は、二次電池３２１の充電を行う。なお、制御部９０は、外部電源線Ｌ３を介して供給される電力によって、電池部３２の二次電池３２１を満充電する。なお、制御部９０は、電池部３２（二次電池３２１）の満充電が完了した場合に、処理をステップＳ２０１に戻す。
【００５９】
また、ステップＳ２０３において、充電制御装置１ａは、携帯電話３の電池残量情報（電池部３２の残量情報Ｑ２）と携帯電話３の消費電力情報Ａ２とを取得する。つまり、制御部９０は、Ｉ／Ｆ部２０を通じて、携帯電話３に電池部３２の残量情報Ｑ２と携帯電話３の消費電力情報Ａ２とを要求する。携帯電話３の制御部３３は、充電制御装置１ａからの要求に応じて、電池部３２の残量情報Ｑ２と携帯電話３の消費電力情報Ａ２とを、Ｉ／Ｆ部３１を通して通信線Ｌ１に供給する。制御部９０は、通信線Ｌ１を介して供給された電池部３２の残量情報Ｑ２と携帯電話３の消費電力情報Ａ２を記憶部６０に記憶させる。
【００６０】
次に、充電制御装置１ａは、ＰＣ２の使用可能時間Ｔ３と、携帯電話３の使用可能時間Ｔ４とを算出する（ステップＳ２０４）。具体的には、制御部９０は、まず、記憶部６０に記憶されている電池部２２（二次電池２２１）の残量情報Ｑ１とＰＣ２の消費電力情報Ａ１とに基づいて、ＰＣ２の使用可能時間Ｔ３を算出する。なお、ＰＣ２の使用可能時間Ｔ３は、例えば、式（５）によって算出される。
【００６１】
Ｔ３＝Ｑ１／Ａ１  ・・・  （５）
【００６２】
制御部９０は、次に、携帯電話３から供給された電池部３２（二次電池３２１）の残量情報Ｑ２と携帯電話３の消費電力情報Ａ２とに基づいて、携帯電話３の使用可能時間Ｔ４を算出する。なお、携帯電話３の使用可能時間Ｔ４は、例えば、式（６）によって算出される。
【００６３】
Ｔ４＝Ｑ２／Ａ２  ・・・  （６）
【００６４】
次に、充電制御装置１ａは、（携帯電話３の使用可能時間Ｔ４／ＰＣ２の使用可能時間Ｔ３）が予め定められた値以上か否かを判定する（ステップＳ２０５）。つまり、制御部９０は、ＰＣ２の使用可能時間Ｔ３と、携帯電話３の使用可能時間Ｔ４とが、予め定められた比率に達しているか否かを判定する。ここでは、例えば、（携帯電話３の使用可能時間Ｔ４／ＰＣ２の使用可能時間Ｔ３）が“１”以上か否かを判定する。つまり、予め定められた比率は、１：１であり、制御部９０は、ＰＣ２の使用可能時間Ｔ３と、携帯電話３の使用可能時間Ｔ４とが等しくなったか否かを判定する例を説明する。制御部９０は、（携帯電話３の使用可能時間Ｔ４／ＰＣ２の使用可能時間Ｔ３）が予め定められた値（“１”）より小さいと判定した場合に、処理をステップＳ２０６に進める。また、制御部９０は、（携帯電話３の使用可能時間Ｔ４／ＰＣ２の使用可能時間Ｔ３）が予め定められた値（“１”）以上であると判定した場合に、処理をステップＳ２０７に進める。
【００６５】
ステップＳ２０６において、充電制御装置１ａは、電力供給線Ｌ２に電力を供給する。つまり、制御部９０は、まず、電池部２２から電源切り替え部２１を介して供給される電力をＩ／Ｆ部２０に供給する制御信号を、スイッチ部２３ａに出力する。これにより、スイッチ部２３ａは、電池部２２から供給された電力をＩ／Ｆ部２０に供給する状態にする。Ｉ／Ｆ部２０に供給された電力は、電力供給線Ｌ２を介して、携帯電話３に供給され、さらに、携帯電話３のＩ／Ｆ部３１を介して、電池部３２に供給される。これにより、電池部３２（二次電池３２１）は、充電される。
なお、ステップＳ２０６の処理の後、制御部９０は、処理をステップＳ２０１に戻し、算出したＰＣ２の使用可能時間Ｔ３と、算出した携帯電話３の使用可能時間Ｔ４との比率が、予め定められた比率（１：１）になるまで、電池部３２の充電を継続させる。つまり、ＰＣ２の使用可能時間Ｔ３と携帯電話３の使用可能時間Ｔ４との比率が、予め定められた比率（１：１）になるまで、ステップＳ２０１〜ステップＳ２０６の処理が、繰り返される。
【００６６】
また、ステップＳ２０７において、充電制御装置１ａは、電池部３２の充電を停止させる。つまり、制御部９０は、まず、携帯電話３に電力を供給する電力を低減した状態に切り替える制御信号を、スイッチ部２３ａに出力する。これにより、スイッチ部２３ａは、電池部２２から供給された電力を、抵抗を介してＩ／Ｆ部２０に供給する状態にする。抵抗を介してＩ／Ｆ部２０に供給された電力は、電力供給線Ｌ２を介して、携帯電話３に供給されるが、抵抗によって電流が制限さているため、電池部３２の充電を抑制することができる。以上により、制御部９０は、携帯電話３の電池部３２（二次電池３２１）の充電を停止させる。
なお、ステップＳ２０７の処理の後、制御部９０は、処理をステップＳ２０１に戻す。
【００６７】
以上のように、本実施形態における充電制御装置１ａ及び充電制御システム１００は、制御部９０が、携帯電話３（第２の装置）から供給された電池部３２（第２の電池）の残量情報及び携帯電話３の消費電力情報を取得する。そして、電池部２２の残量情報Ｑ１及びＰＣ２の消費電力情報Ａ１に基づいて、ＰＣ１の使用可能時間Ｔ３を算出する。また、制御部９０は、電池部３２の残量情報Ｑ２及び携帯電話３の消費電力情報Ａ２に基づいて、使用可能時間Ｔ４を算出する。そして、制御部９０は、電池部３２の充電中に繰り返し算出したＰＣ１の使用可能時間Ｔ３と携帯電話３の使用可能時間Ｔ４との比率（割合）が、予め定められた比率（割合）になるまで、電池部３２の充電を継続させる。
【００６８】
これにより、携帯電話３の電池部３２（二次電池３２１）は、フル充電されるではなく、制御部９０の制御のもとで、ＰＣ２の使用可能時間Ｔ３と携帯電話３の使用可能時間Ｔ４とが最適な状態（予め定められた比率）になるように、電池部２２（第１の電池）の残量を電池部３２（第２の電池）に分配する。よって、ＰＣ２（充電装置）と携帯電話３（被充電装置）とが電池（電池部２２及び３２）によって動作する場合に、ＰＣ２の使用可能時間を長くすることができる。つまり、本実施形態における充電制御装置１ａ及び充電制御システム１００では、充電装置と被充電装置とが電池によって動作する場合に充電装置から被充電装置の電池を充電したとしても、充電装置の使用可能時間が短くなることを防止できる。
なお、上述の予め定められた比率が１：１の場合には、電池部２２の残量が、ＰＣ２と携帯電話３との使用可能時間が等しくなるように分配される。そのため、例えば、ＰＣ２と携帯電話３とを接続して使用する用途において、使用可能時間を最長にすることができる。
【００６９】
また、充電制御装置１ａ及び充電制御システム１００では、電池部３２の充電を行っている間に、制御部９０が、電池部２２の残量情報Ｑ１及びＰＣ２の消費電力情報Ａ１と、電池部３２の残量情報Ｑ２及び携帯電話３の消費電力情報Ａ２とを最新の値を使用して、充電電気量を制御する。つまり、制御部９０が、この最新の情報に基づいてフィードバックを行い、電池部３２の充電完了地点を変更する。
これにより、ＰＣ２及び携帯電話３の使用状態が変化して、それぞれの消費電力が変化した場合においても、ＰＣ２の使用可能時間Ｔ３と携帯電話３の使用可能時間Ｔ４とを最適な状態にすることができる。そのため、ＰＣ２の電池部２２における電力を、第１の実施形態よりも効率よく、携帯電話３の電池部３２に分配することができる。
【００７０】
また、制御部９０は、電池部３２（第２の電池）の充電を停止させる場合に、スイッチ部２３ａに対して、携帯電話３（第２の装置）に電力を供給する電力供給線Ｌ２に供給する電力を低減して、電池部３２の充電を抑制させる。これにより、ＵＳＢインターフェースのように、電池部３２を充電しない場合にも電力供給線Ｌ２に常に電力を供給する必要があるような場合であっても、電池部３２の充電を停止することができる。
【００７１】
＜第３の実施形態＞
次に、本発明における第３の実施形態について説明する。
本実施形態において、第１及び第２の実施形態と同様に、充電装置（第１の装置）にＰＣを適用し、被充電装置（第２の装置）に携帯電話を適用した場合の一例を説明する。
【００７２】
図５は、本実施形態による充電制御装置１ｂ及び充電制御システム１００を示す概略ブロック図である。この図において、図１と同じ構成には同一の符号を付す。
この図において、ＰＣ２（第１の装置）は、充電制御装置１ｂを備えている。
【００７３】
充電制御装置１ｂは、ＰＣ２が備えている二次電池２２１（第１の電池）の電力によって、携帯電話３ａ（第２の装置）が備えている二次電池３２１（第２の電池）を充電させる。充電制御装置１ｂは、携帯電話３ａとのデータ通信を行う通信線Ｌ１と、携帯電話３ａに電力の供給を行う電力供給線Ｌ２とを介して、携帯電話３と接続されている。
また、充電制御装置１ｂは、Ｉ／Ｆ部２０、電源切り替え部２１、電池部２２、記憶部６０、及び制御部９０を備えている。
また、携帯電話３ａは、Ｉ／Ｆ部３１、電池部３２、制御部３３、記憶部３４及びスイッチ部３５を備えている。
なお、本実施形態では、充電制御装置１ｂがスイッチ部２３（又は２３ａ）を備えない代わりに、携帯電話３ａがスイッチ部３５を備える。本実施形態では、この点が、第１及び第２の実施形態と異なる。
【００７４】
スイッチ部３５は、Ｉ／Ｆ部３１と電池部３２との間に配置される。スイッチ部３５は、制御部３３から出力される制御信号に基づいて、Ｉ／Ｆ部３１から供給された電力を電池部３２に供給する状態と、供給を停止した状態とを切り替える。なお、スイッチ部３５を通じて電池部３２に供給される電力は、電力供給線Ｌ２を介して、ＰＣ２から供給される。
【００７５】
また、本実施形態では、電池部３２（第２の電池）の充電を開始及び停止させる場合の方法が、第２の実施形態と異なる。
ＰＣ２の制御部９０は、電池部３２（二次電池３２１）の充電を開始させる場合に、Ｉ／Ｆ部２０を介して携帯電話３ａに、電池部３２（第２の電池）の充電を開始させるコマンド（制御指令）を出力する。また、制御部９０は、電池部３２（二次電池３２１）の充電を停止させる場合に、Ｉ／Ｆ部２０を介して携帯電話３ａに電池部３２（第２の電池）の充電を停止させるコマンド（制御指令）を携帯電話３ａに出力する。なお、これらのコマンドは、通信線Ｌ１を介して、携帯電話３ａのＩ／Ｆ部３１に出力される。
【００７６】
一方、携帯電話３ａの制御部３３は、Ｉ／Ｆ部３１を介して、ＰＣ２の制御部９０から出力されたコマンドを受信する。制御部３３は、受信したコマンドが電池部３２の充電を開始させるコマンドである場合に、Ｉ／Ｆ部３１から供給された電力を電池部３２に供給する状態にさせる制御信号をスイッチ部３５に出力する。また、制御部３３は、受信したコマンドが電池部３２の充電を開始させるコマンドである場合に、Ｉ／Ｆ部３１から供給された電力を電池部３２に供給しない状態にさせる制御信号をスイッチ部３５に出力する。
【００７７】
次に、本実施形態における充電制御装置１ｂ及び充電制御システム１００の動作について説明する。
本実施形態における充電制御装置１ｂの充電処理は、図４に示される第２の実施形態における充電処理と同様である。ただし、ステップＳ２０６及びステップＳ２０７において、上述したように、電池部３２（第２の電池）の充電を開始及び停止させる場合における処理が異なる。
【００７８】
本実施形態における充電制御装置１ｂでは、ステップＳ２０６において、制御部９０は、まず、Ｉ／Ｆ部２０を介して携帯電話３ａに、電池部３２の充電を開始させるコマンドを出力する。電池部３２の充電を開始させるコマンドは、通信線Ｌ１を介して携帯電話３ａに出力され、携帯電話３ａの制御部３３は、Ｉ／Ｆ部３１から供給された電力を電池部３２に供給する状態にさせる制御信号をスイッチ部３５に出力する。これにより、スイッチ部３５は、Ｉ／Ｆ部３１から供給された電力を電池部３２に供給する状態にする。つまり、ＰＣ２の電池部２２から電力供給線Ｌ２を介して携帯電話３の電池部３２に電力が供給される。これにより、電池部３２（二次電池３２１）は、充電される。
【００７９】
また、ステップＳ２０７において、制御部９０は、まず、Ｉ／Ｆ部２０を介して携帯電話３ａに、電池部３２の充電を停止させるコマンドを携帯電話３ａに出力する。電池部３２の充電を停止させるコマンドは、通信線Ｌ１を介して携帯電話３ａに出力され、携帯電話３ａの制御部３３は、Ｉ／Ｆ部３１から供給された電力を電池部３２に供給しない状態にさせる制御信号をスイッチ部３５に出力する。これにより、スイッチ部３５は、Ｉ／Ｆ部３１から供給された電力を電池部３２に供給しない状態にする。つまり、Ｉ／Ｆ部２０に供給された電力は、電力供給線Ｌ２を介して、携帯電話３に供給されるが、スイッチ部３５によって、電池部３２への供給が停止される。以上により、制御部９０は、携帯電話３の電池部３２（二次電池３２１）の充電を停止させる。
【００８０】
以上のように、本実施形態における充電制御装置１ｂ及び充電制御システム１００では、制御部９０が、第２の実施形態と同様の処理によって、電池部２２（第１の電池）から携帯電話３ａに供給する充電電気量を制御する。そのため、本実施形態における充電制御装置１ｂ及び充電制御システム１００では、第２の実施形態と同様の効果が期待できる。つまり、本実施形態における充電制御装置１ｂ及び充電制御システム１００では、充電装置と被充電装置とが電池によって動作する場合に充電装置から被充電装置の電池を充電したとしても、第２の実施形態と同様に、充電装置の使用可能時間が短くなることを防止できる。
【００８１】
また、本実施形態における充電制御装置１ｂ及び充電制御システム１００では、充電制御装置１ｂの代わりに、携帯電話３ａが、スイッチ部３５を備えている。そして、制御部９０は、電池部３２（二次電池３２１）の充電を停止させる場合に、Ｉ／Ｆ部２０を介して携帯電話３ａに電池部３２（第２の電池）の充電を停止させるコマンド（制御指令）を携帯電話３ａに出力する。
これにより、ＵＳＢインターフェースのように、電池部３２を充電しない場合にも電力供給線Ｌ２に常に電力を供給する必要があるような場合であっても、電池部３２の充電を停止することができる。また、スイッチ部３５によって、電池部３２に供給する電力を完全に停止することができるため、第２の実施形態より効率よく電池部２２の電力を使用することができる。
【００８２】
＜第４の実施形態＞
次に、本発明における第４の実施形態について説明する。
本実施形態において、充電装置（第１の装置）に撮像装置を適用し、被充電装置（第２の装置）に携帯電話を適用した場合の一例を説明する。
【００８３】
図６は、本実施形態による充電制御装置１ｂ及び充電制御システム１００ａを示す概略ブロック図である。この図において、図５と同じ構成には同一の符号を付す。
この図において、充電制御システム１００ａは、充電装置（第１の装置）としての撮像装置２ａと、被充電装置（第２の装置）としての携帯電話３ａとのを備えている。
また、撮像装置２ａ（第１の装置）は、撮像部１０、Ｉ／Ｆ部２０、電源切り替え部２１、電池部２２、表示部５０、記憶部６０、通信部７０、操作部８０、及び制御部９０を備える。なお、撮像装置２ａは、Ｉ／Ｆ部２０、電源切り替え部２１、電池部２２、記憶部６０、及び制御部９０の一部分を含む充電制御装置１ｂを備えている。
【００８４】
撮像部１０は、設定された撮像条件（例えば、絞り値、露出値など）に基づいて制御部９０によって制御される。撮像部１０は、光学系１１を介した光学像を撮像素子１２に結像させ、Ａ／Ｄ（アナログ／デジタル）変換部１３によって変換された当該光学像に基づく画像データを生成する。なお、画像データは、静止画像及び動画像（映像）に使用される。つまり、撮像部１０は、映像を撮像する。
表示部５０は、例えば、液晶ディスプレイであり、撮像部１０によって得られた画像データや、操作画面等を表示する。なお、表示部５０は、ファインダ内の表示部でもよい。
記憶部６０は、制御部９０の処理に使用する各種情報、撮像部１０による撮像条件、等を記憶する。
【００８５】
通信部７０は、カードメモリ等の取り外しが可能な記憶媒体２００と接続され、この記憶媒体２００への画像データの書込み、読み出し、又は消去を行う。
記憶媒体２００は、撮像装置２ａに対して着脱可能に接続される記憶部であり、例えば、撮像部１０によって生成された画像データなどを記憶する。
操作部８０は、例えば、電源スイッチ、シャッターボタン、十字キー、確定ボタン、削除ボタン、及び、その他の操作キーを含み、使用者によって操作されることで、使用者の操作入力を受け付けて、制御部９０に供給する。
バス４００は、撮像部１０と、Ｉ／Ｆ部２０と、表示部５０と、記憶部６０と、通信部７０、操作部８０と、制御部９０とに接続され、各部から出力された画像データや制御信号等を転送する。
【００８６】
制御部９０は、例えば、ＣＰＵ（Central processing unit）などを含み、撮像装置２ａが備える各構成を制御する。制御部９０は、例えば、操作部８０を介して撮像指示を受け付けた際に、撮像素子１２とＡ／Ｄ変換部１３とを介して得られる動画像データを、撮像された映像として、記憶媒体２００に記憶させる。また、制御部９０は、第３の実施形態における充電制御装置１ｂと同様に、電池部２２から携帯電話３ａの電池部３２に電力供給線Ｌ２を介して電力を供給して、電池部３２（二次電池３２１）を充電する制御を行う。
【００８７】
次に、本実施形態における充電制御装置１ｂ及び充電制御システム１００ａの動作について説明する。
本実施形態における充電制御装置１ｂの充電処理は、第３の実施形態における充電処理と同様である。つまり、本実施形態では、第１の装置が、ＰＣ２から充電制御装置１ｂを備えた撮像装置２ａに置き換わっている点を除いて、第３の実施形態における充電処理と同様である。
【００８８】
以上のように、本実施形態における撮像装置２ａは、第３の実施形態と同様の充電制御装置１ｂを備えている。そのため、本実施形態における撮像装置２ａ及び充電制御システム１００ａでは、第３の実施形態と同様の効果が期待できる。つまり、本実施形態における撮像装置２ａは、充電装置と被充電装置とが電池によって動作する場合に充電装置から被充電装置の電池を充電したとしても、第２の実施形態と同様に、充電装置の使用可能時間が短くなることを防止できる。
【００８９】
なお、本発明は、上記の各実施形態に限定されるものではなく、本発明の趣旨を逸脱しない範囲で変更可能である。上記の各実施形態において、ＵＳＢインターフェースを用いる形態を説明したが、通信線Ｌ１と電力供給線Ｌ２を備えるインターフェースであれば、他のインターフェースを用いる形態でもよい。また、インターフェースは、電力供給線Ｌ２に通信信号を重畳して、通信線Ｌ１と電力供給線Ｌ２を共用する形態でもよい。
また、上記の各実施形態において、第２の装置として携帯電話を使用する例を説明したが、他の装置を第２の装置とする形態でもよい。例えば、第２の装置に撮像装置を使用する形態でもよいし、ＵＳＢインターフェースを介して充電できる音楽プレーヤや録音レコーダなどを使用する形態でもよい。
【００９０】
また、上記の各実施形態において、充電制御装置（１、１ａ、又は１ｂ）は、電源切り替え部２１を備える形態を説明したが、電源切り替え部２１を備えずに、電池部２２からの電力により動作する形態でもよい。
また、上記の各実施形態において、外部電源線Ｌ３に電力が供給されている場合に、電池部３２をフル充電する形態を説明したが、例えば、充電優先モードを設けて、充電優先モードである場合に、制御部９０が電池部３２をフル充電させる形態でもよい。この形態では、第２の装置をフル充電したい場合に対応することができる。
また、上記の各実施形態において、第１の装置（ＰＣ２又は撮像装置２ａ）は、充電制御装置（１、１ａ、又は１ｂ）を備える形態を説明したが、第１の装置の外部に備える形態でもよい。
【００９１】
また、上記の各実施形態において、電池部２２は、二次電池２２１を備える形態を説明したが、乾電池などの一時電池を備える形態でもよい。また、電池部２２が二次電池２２１である場合に、電池部２２は、外部電源線Ｌ３によって供給される電力によって、充電される形態でもよい。
また、上記の各実施形態において、ＰＣ２（第１の装置）の消費電力情報Ａ１は、一定の周期間隔において取得された消費電力に基づいて、平均消費電力として算出される形態を説明したが、他の形態でもよい。例えば、予め測定されている固定値を使用する形態でもよい。また、同様に、携帯電話３又は３ａ（第２の装置）の消費電力情報Ａ２は、一定の周期間隔において取得された消費電力に基づいて、平均消費電力として算出される形態を説明したが、他の形態でもよい。例えば、予め測定されている固定値を使用する形態でもよい。
【００９２】
また、上記の第１の実施形態において、予め定められた比率は、１：１である形態を説明したが、これに限定されるものではない。例えば、制御部９０が、ＰＣ２の終了処理を行う時間分、充電後使用可能時間を多くするように制御する形態でもよい。
また、上記の第２の実施形態において、予め定められた比率は、１：１である形態を説明したが、これに限定されるものではない。例えば、制御部９０が、ＰＣ２の終了処理を行う時間分、充電後使用可能時間を多くするように制御する形態でもよい。
【００９３】
また、上記の第１の実施形態における充電電気量ΔＱを算出して、充電電気量ΔＱの電気量を電力供給線Ｌ２に供給する制御と、第２の実施形態における使用可能時間が予め定められた比率になるまで、充電を継続する制御とは、組み合わせて使用する形態でもよい。この場合、ＰＣ２の電池部２２における電力を、第１及び第２の実施形態をそれぞれ単独で行うよりも効率よく、携帯電話３の電池部３２に分配することができる。
【００９４】
また、上記の第１の実施形態における電池部３２の充電を停止させる制御は、第２の実施形態における電池部３２の充電を停止させる場合に適用してもよい。また、第２及び第３の実施形態における電池部３２の充電を停止させる制御は、第１の実施形態における電池部３２の充電を停止させる場合に適用してもよい。
【００９５】
また、上記の第２の実施形態において、スイッチ部２３ａは、プルアップ抵抗によって電流を制限する形態を説明したが、定電流回路によって電流を制限する形態でもよいし、他の手段を用いて電流を制限する形態でもよい。
また、上記の第１及び第２の実施形態において、スイッチ部２３（又は２３ａ）は、Ｉ／Ｆ部２０に含まれる形態でもよい。
また、上記の各実施形態において、制御部９０及び制御部３３は、専用のハードウェアによって実現されてもよい。また、制御部９０及び制御部３３は、メモリ及びＣＰＵにより構成され、制御部９０及び制御部３３の各機能は、プログラムによって実現されてもよい。
【００９６】
上述の充電制御装置（１、１ａ、又は１ｂ）は内部に、コンピュータシステムを有している。そして、上述した制御部９０の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【００９７】
１，１ａ，１ｂ…充電制御装置、２…ＰＣ、２ａ…撮像装置、３，３ａ…携帯電話、２２，３２…電池部、３１…Ｉ／Ｆ部、９０…制御部、１００，１００ａ…充電制御システム
【図１】
2013169062.tif 000003
【図２】
2013169062.tif 000004
【図３】
2013169062.tif 000005
【図４】
2013169062.tif 000006
【図５】
2013169062.tif 000007
【図６】
2013169062.tif 000008